(57)【要約】      （修正有）【課題】カメラのホールド性を高める事ができ、設定変更時の操作性や撮影時の安定性が増し、意匠性も付与できるカメラ用保持具を提供する。【解決手段】半円柱３、板４、板５、三角柱６をそれぞれ接着剤や両面テープなどで固定し、皮革やフィルムを貼り付ける。その後板５の裏面に両面テープ７を貼り付ける。カメラに取り付ける際には、両面テープ７を用いてカメラの外面に貼り付ける。皮革やフィルムは様々な種類があるため、ユーザーの好みやカメラとの相性などによって選択でき、意匠性も付加できる。【選択図】図２
0003185757.tif 000002
【実用新案登録請求の範囲】
【請求項１】
断面に直線と曲線を有する柱状体と該柱状体平面部に固着した一つ以上の板状体とカメラを固定するための接着層からなる事を特徴とするカメラ用保持具。
【請求項２】
少なくとも外面の一部に天然又は人造皮革又はフィルムを貼り付けてある事を特徴とする請求項１記載のカメラ用保持具。
【考案の詳細な説明】
【技術分野】
【０００１】
本考案は、カメラのホールド性を高める事ができ、設定変更時の操作性や撮影時の安定性が増し、意匠性も付与できるカメラ用保持具に関するものである。
【背景技術】
【０００２】
コンパクトデジタルカメラは高機能化に伴い、ただシャッターボタンを押して撮影するだけではなく、様々な設定変更や撮影の調節などを行えるため、操作性や安定性を向上させるために、手で握りやすいグリップ形状を備えている事が好ましいが、そのような機種は少ない。そこで、グリップ形状がないカメラであっても、後付で容易にグリップ形状を備える事ができるカメラ用保持具が求められている。
【０００３】
このようなカメラ用保持具は、特許文献１や２のようなものが公知となっている。特許文献１は、可動式グリップを有するカメラであり、未使用時はグリップをカメラに収納でき、使用時にはグリップをカメラの前面方向に回動させて使用する。特許文献２は、先端がグリップ形状になっているプレートをカメラ用ネジでカメラと固定する。
【０００４】
しかし、特許文献１はカメラ機種ごとに専用に設計する必要があり、すでに発売されている機種には対応できない。特許文献２はその点の問題はないが、手で握るためには少なくとも本体の厚み以上の大きさは必要であるため、大型化してしまい、意匠性もあまり良くないという欠点があった。
【先行技術文献】
【特許文献】
【０００５】
【特許文献１】特開２００６−０１８１７４号公報
【特許文献２】実用新案登録３１７８７８７号公報
【考案の概要】
【考案が解決しようとする課題】
【０００６】
本考案は、後付で容易にグリップ形状を備える事ができない点と、小型化と意匠性を付加できない点を解決する事である。
【課題を解決するための手段】
【０００７】
図１は本考案で提案する皮革又はフィルムを備えたカメラ用保持具の斜視図である。丸みを帯びている部分がグリップ部になっている。皮革又はフィルムは保持具の外面に貼られても良く、余りは板５の裏面で接着剤や両面テープ、金具などによって固定される事が好ましい。皮革又はフィルムはどんな模様や色、材質であっても良い。
【０００８】
図２は皮革又はフィルムを備えていない形態のカメラ用保持具の斜視図であり、図３はカメラ用保持具の分解斜視図である。図３を組み立てると図２になる。半円柱３、板４、板５、三角柱６をそれぞれ接着剤や両面テープなどで固定し、皮革を貼り付け、板５の裏面に両面テープ７を貼り付ける。この状態が図１である。
【０００９】
図２の形態において、角がある部分は面取りや丸みを付ける事が好ましい。板４は高さを調節するためのものであり、なくても良い。半円柱３、板４、板５、三角柱６の材質は、軽量化と製造性の観点からプラスチックや木材が好ましい。三角柱６はカメラ用保持具１とカメラ８に生ずる隙間を埋める為のものであり、取り付けられる事が好ましい。カメラにより角の丸みが異なるため、カメラのよって三角柱６のサイズを変更する事が好ましい。
【００１０】
図２又は図３において、半円柱３の直径は１０〜３０ｍｍ程が好ましい。板４の横の長さと厚みは１０〜３０ｍｍ程が好ましい。板５の横の長さは２０〜５０ｍｍ程、厚みは１〜２ｍｍ程が好ましい。三角柱６は断面の一辺が３〜５ｍｍ程の正三角形が好ましい。半円柱３、板４、板５、三角柱６において、縦の長さは２０〜６０ｍｍ程が好ましい。板５の背面には余った皮革が貼り付けられており、その皮革の上に重ならないように両面テープ７の寸法を決める。
【００１１】
図４と図５はカメラ用保持具をカメラに装着した状態の正面図と平面図である。使用する皮革やフィルムにより厚みが異なるため、皮革やフィルムの厚みは描いていない。カメラ用保持具を両面テープ7によってカメラに貼り付ける場所は、好みによりユーザーが決める。
【考案の効果】
【００１２】
本発明のカメラ用保持具によれば、カメラのホールド性を高める事ができるため、設定変更時の操作性や撮影時の安定性が増し、意匠性も付与できる。
【図面の簡単な説明】
【００１３】
【図１】本考案で提案する皮革又はフィルムを備えたカメラ用保持具の斜視図である。
【図２】皮革又はフィルムを備えていない形態のカメラ用保持具の斜視図である。
【図３】カメラ用保持具の分解斜視図である。
【図４】カメラ用保持具をカメラに装着した状態の正面図である。
【図５】カメラ用保持具をカメラに装着した状態の平面図である。
【考案を実施するための形態】
【００１４】
本考案を実施例でもって説明する。
【実施例１】
【００１５】
図２又は図３において、半円柱３の直径は１５ｍｍ、板４の横の長さは１５ｍｍ、厚みは１０ｍｍ、板５の横の長さは３０ｍｍ、厚みは１ｍｍ、三角柱６は断面の一辺が４ｍｍの正三角形である。半円柱３、板４、板５、三角柱６において、縦の長さは共に５０ｍｍである。
【００１６】
半円柱３、板４、三角柱６は木材であり、板５はプラスチックである。半円柱３、板４、板５、三角柱６はそれぞれ両面テープで固定されている。角がある部分はそれぞれ面取りや丸みを付けてある。
【００１７】
市販のテープ付き皮革を用い、保持具外面全体に貼り付け、余った皮革は板５の裏面に接着剤で固定し、余った皮革に重ならないように両面テープ７を貼り付ける。
【００１８】  カメラ８に取り付ける際には、図４又は図５のように両面テープ７をカメラ８の外面に貼り付ける。実施例のカメラ８は（公序良俗違反につき、不掲載）であり、実際に取り付けたところ、グリップによりホールド性を高める事ができ、操作性や安定性が増し、これまで設定変更を行う際には必ずカメラを両手で保持する必要があったが、グリップを握る事により片手でも可能になった。
【符号の説明】
【００１９】
１      カメラ用保持具
２      皮革がない状態のカメラ用保持具
３      半円柱
４      板
５      板
６      三角柱
７      両面テープ
８      カメラ
【図１】
0003185757.tif 000003
【図２】
0003185757.tif 000004
【図３】
0003185757.tif 000005
【図４】
0003185757.tif 000006
【図５】
0003185757.tif 000007
【手続補正書】
【提出日】平成25年7月8日(2013.7.8)
【手続補正１】
【補正対象書類名】実用新案登録請求の範囲
【補正対象項目名】全文
【補正方法】変更
【補正の内容】
【実用新案登録請求の範囲】
【請求項１】
半円柱の平面部に板状体と三角柱を両方又は片方固着して得られる形状であって、該平面部か該板状体に接着層があることを特徴とするカメラ用保持具。
【手続補正２】
【補正対象書類名】明細書
【補正対象項目名】００１８
【補正方法】変更
【補正の内容】
【００１８】
カメラ８に取り付ける際には、図４又は図５のように両面テープ７をカメラ８の外面に貼り付ける。実際に市販のカメラに取り付けたところ、グリップによりホールド性を高める事ができ、操作性や安定性が向上した。